(57)【要約】揚げ物槽の清掃を安全かつ効率的に行うことができる揚げ物器である。油収納用タンク（５）の側面上側に、上側端部（５ｃ）が下側端部（５ｂ）に被さる態様の開口部（５ａ）を形成し、また下側にはコック（５ｄ）を設ける。開口部（５ａ）は油槽域（１）と水槽域（２）の境界近くに位置し、当該開口部に対する蓋部は設けていない。揚げ物作業終了後には先ずコック（５ｄ）の開閉操作により油槽域（１）の油を開口部（５ａ）から油収納用タンク（５）に収納し、続いてコック（１１）を開くことにより揚げ物槽（Ｂ）の油収納用タンク以外の部分を空にしてから洗浄する。次回揚げ物作業を開始するときには揚げ物槽（Ｂ）へ注水するだけで油収納用タンク（５）内の油は水との比重差によって油槽域（１）のほうに移動する。
2004023955.tif 000002
【特許請求の範囲】
【請求項１】
揚げ物槽を水槽域とその上方の油槽域とで構成し、当該油槽域内には加熱部を備えた揚げ物器において、
上側部分が下側部分に被さる態様の開口部を形成し、コックを下方側に備えた油収納用のタンクを、前記水槽域に設け、前記コックを開いて前記タンク内の水を排出することにより、前記油槽域の油が前記開口部を介して当該タンク内に収納されるようにしたことを特徴とする揚げ物器。
【請求項２】
前記開口部を前記油収納用のタンクの側面上側に形成したことを特徴とする請求の範囲第１項記載の揚げ物器。
【請求項３】
前記水槽域の下端部に水抜きコックを設けたことを特徴とする請求の範囲第１項または第２項記載の揚げ物器。
【発明の詳細な説明】
【技術分野】  本発明は、水槽域とその上方の油槽域からなる揚げ物槽を有し、揚げかすが油槽域を通過して水槽域に沈降していくようにした揚げ物器に関し、特に油収納用のタンクを水槽域の所定位置に設けたものである。
【背景技術】  第７図は一般的な揚げ物器の外観構造を、第８図はこの揚げ物器の油槽域および水槽域の断面状態をそれぞれ示し、また、１は揚げ物用の油を溜める油槽域、２は水槽域、３は加熱用バーナ等の加熱源、４は溶接などにより油槽域１の外壁に設けた空冷管、１０は揚げかす、１１は水抜きコック、１２は網、１４は油抜きコック、１５は揚げ物器の床面に対するバランスを調整して固定するためのアジャスタボール、１６は排気口、１７は加熱源調整用サーモスタットをそれぞれ示している。
ここで、揚げ物器内部に入れられた水と油は比重の差異によってそれぞれ水槽域２と油槽域１とに分離し、この状態で加熱源３により油槽域１の油を加熱して揚物作業が行われる。
そして、高温に熱した油からの熱伝導と、揚げ物作業中に生じる揚げかすの落下による熱伝導とを、加熱源３の下方に設けた空冷管４等の冷却手段で遮断することにより、油の酸化及び水温の上昇を抑え、また蒸気化のため油の表面が泡立ち、揚げ物作業が困難になるのを防止している。
一般に揚げ物作業中の油の温度は２００°Ｃ近くの高温になっているため、作業終了後に揚げ物器を清掃するには温度が下がるのを待たなければならず、当該清掃後も油をくり返し使用するときにはこれを何らかの容器に入れておいて次の使用時に油槽域に移しかえるといった手間のかかる作業が必要となり、全体としての使用勝手が良くないという問題点を有していた。
このような清掃にともなう油の移しかえという問題点を解決すべく、本件出願人は、上端側と下端側とにそれぞれコックを持つ油収納用のタンクを水槽域に設けた揚げ物器を米国特許第５，６３２，２６６号で開示している。
この揚げ物器のタンク外側部分の油槽域および水槽域を清掃するための準備手順は、例えば次のようになる。なお、揚げ物作業のとき、タンクに水を入れるかどうかは任意であるが、ここではタンクに水を入れた状態（下側コックを閉じ、かつ上側コックを開いてから水をタンクに入れた後で、例えば上側コックを閉じた状態）で揚げ物作業を行っているとする。
上記清掃時の準備手順は、
（１）先ず、タンクの下側コックを開いてタンク内の水をすべて排出してから当該下側コックを閉じ、
（２）次にタンクの上側コックを開いて油槽域の油をタンク内に取り込んでから当該上側コックを閉じ、
（３）次に、水槽域下端側の水抜き用コックを開いて水槽域の水を排出する、
といった内容になる。
以上の操作により、揚げ物器は、
・上下のコックを閉じたタンク内に油が収納され、
・タンク外部の油槽域および水槽域は空で、かつ水槽域下端側の開モードの水抜き用コックを介して外部と連通した、
状態、すなわち清掃可能状態へと移行する。
清掃後は、水槽域の水抜き用コックを閉じ、かつ油収納用タンクの上側コックを開いた上で揚げ物槽に注水していくとタンクに収納されていた油が水との比重差により油槽域へ押し出されていき、再び揚げ物作業の準備ができる。
このように、米国特許第５，６３２，２６６号に開示の揚げ物器は、清掃作業の効率向上を図った使用勝手の良いものであった。
しかしながら、油収納用のタンクには上述の二つのコック、すなわち上側コックおよび下側コックが設けられているため、揚げ物器全体の部品点数が増え、組立作業の手間がかかってコスト高になる、さらにはこれら二つのコックの操作が面倒であるという点で改善の余地があった。
そこで、本発明では、揚げ物作業終了後に油をいったん収納するためのタンクの開口部を、上側部分が下側部分に被さる態様で形成して上側コックを省略し、揚げ物器の低コスト化および清掃作業のより簡単化を図ることを目的とする。
【発明の開示】
本発明は、上側部分が下側部分に被さる態様の開口部を形成し、また下方側にはコックを備えた油収納用のタンクを、水槽域に設け、油槽域の油が前記開口部を介して前記タンク内に収納されるようにしている。
この油収納用のタンクは、その大半が水槽域内に位置するように、筒状，直方体状，立方体状，球状，縦長・横長のラグビーボール状（断面が楕円状）など任意の形状に形成できる。なお、タンク下側のコックを開くことによりタンク内部は揚げ物器の外部と連通し、またタンクの開口部を介してタンク内部は揚げ物槽と連通している。
また、前記開口部の形成箇所は油収納用のタンクの任意の上側部分であるか、望ましくは側面上側となる。
本発明の揚げ物器では、揚げ物作業終了後にタンク下側のコックを開いてタンク内部の排水を行うと、揚げ物作業中に高温となった油槽域の油がこの排水にともなってタンク上側の開口部からタンク内に流入していく。そして、所定の時点でこのコックを閉じることにより使用済の油がタンクに収納されることになる。このため、油が冷却するのを積極的に待たずに直ちに揚げ物器内部（タンク外側の油槽域および水槽域）の清掃作業を効率的にかつ安全に行うことができる。
清掃作業終了後は、タンク下側のコックを閉じた状態で揚げ物槽から注水する。この水がタンク上側の開口部より流入するにつれて、水と油の比重の差異によりそれまでタンク内に入っていた油が開口部から自動的に上方の油槽域に押し上げられるので、簡単な操作によって油を油槽域に戻し、繰返し使用することができる。
なお、油収納用のタンクの開口部は、その上側部分が下側部分に被さるような態様で形成されているので、油収納用のタンクに油を収納した状態で揚げ物器の清掃をするときに洗浄液等が当該タンクの中に入り込むことを防止できる。
また、開口部を開閉するための、コックなどを設けていないので、揚げ物器全体の部品点数を削減することができるとともにその組立作業の手間も省くことができ、コストダウウンを図ることができる。さらには開口部に対する開閉作業自体が不要なので、清掃作業の簡単化を図ることができる。
【図面の簡単な説明】  第１図は、筒状の油収納用タンクを備えた揚げ物器の説明図であり、通常の揚げ物作業状態を示している。
第２図は、第１図の油収納用タンクに油を収納した洗浄準備状態を示している。
第３図は、第１図の油収納用タンクを洗浄した後の揚げ物器への注水状態を示している。
第４図は、第１図とは別の筒状の油収納用タンクを備えた揚げ物器を示す説明図である。
第５図は、家庭用のコンパクトな揚げ物器を示す説明図である。
第６図は、直方体状の油収納用タンクを備えた揚げ物器を示す説明図である。
第７図は、従来の揚げ物器の外観構造を示す説明図である。
第８図は、第７図の揚げ物器の油槽域および水槽域の断面形状を示す説明図である。
【発明を実施するための最良の形態】  本発明をより詳細に記述するために、添付の図面に従ってこれを説明する。
ここで、Ａは筒状（断面が円状）の油収納用タンクを備えた揚げ物器、Ｂは揚げ物器Ａの揚げ物槽、Ｃは筒状（断面が楕円状）の油収納用タンクを備えた揚げ物器、Ｄは揚げ物器Ｃの揚げ物槽、Ｅは家庭用の揚げ物器、Ｆは揚げ物器Ｅの揚げ物槽、Ｇは直方体状の油収納用タンクを備えた揚げ物器、Ｈは揚げ物器Ｇの揚げ物槽、１は油槽域、２は水槽域、３は加熱源（加熱管）、３’は加熱源としての電熱ヒータ、４は空冷管、５は筒状の油収納用タンク、５ａは当該油収納用タンクの側面上側に形成された開口部、５ｂは当該開口部の下側端部、５ｃは当該下側端部よりも油収納用タンク５の外側に位置して当該下側端部に被さるかたちの上側端部、５ｄは当該油収納用タンク下端部に設けた油移しかえ用のコック、６は直方体状の油収納用タンク、６ａは当該油収納用タンクの側面側に形成された開口部、６ｂは当該開口部の下側端部、６ｃは当該下側端部よりも油収納用タンク６の外側に位置して当該下側端部に被さるかたちの上側端部、６ｄは当該油収納用タンク下端部に設けた油移しかえ用のコック、１０は揚げかす、１１は水抜きコック、１２は網、１４は油抜きコックをそれぞれ示している。加熱源３としては電気やガスなどの任意のエネルギーを用いる。
第１図に示すように、揚げ物器Ａは、側面上側に開口部５ａを形成した油収納用タンク５を備え、必要に応じて油槽域１の油が開口部５ａを介して油収納用タンク５内に収納されるようにしている。
開口部５ａは、その上側端部５ｃが下側端部５ｂよりも油収納用タンク５の外側に位置し、下側端部５ｂに被さるようなかたちで形成され、水槽域２と油槽域１との境界近傍に位置している。
通常の使用状態では、開口部５ａを境にその下側部分には水が流入し、上側部分には油が流入している。
そして、揚げ物作業を終了したときに油槽域１の油を油収納用タンク５に流入させるときの手順は、
・コック５ｄを開いて油収納用タンク５内の水の排出と油収納用タンク５への油の注入をおこない、
・油収納用タンク５から水が排出されて油収納用タンク５に油が注入されたタイミングでコック５ｄを閉じること、
である。
第２図に示すように、油槽域１の油を水槽域２の油収納用タンク５に収納した後で水抜きコック１１を開いて水槽域２の水を排出することによって揚げ物槽Ｂは空の状態となり、次の洗浄作業に安全な環境で移行することができる。
この洗浄作業の際、前述のように油収納用タンク５の開口部５ａは、
・その上側端部５ｃが下側端部５ｂよりも開口部５ａの外側に位置して下側端部５ｂの部分に被さり、
・側面上側に形成されているので、
洗浄作業の際に用いる洗浄液等は油収納用タンク５内に入りにくい。
上述の方法により油収納用タンク５に収納された油を次に使うときには水抜きコック１１は閉じてから揚げ物槽Ｂに注水するだけでよい。
第３図に示すように、揚げ物槽Ｂへの注水が進んで水が開口部５ａの下側端部５ｂを超えると油収納用タンク５内に水が流入していき、それまで油収納用タンク５に収納されていた油が水との比重差により開口部５ａから油槽域１へと押し出されていくことになる。
なお、油収納タンク５に油を収納した状態でコック５ｄを開くと当該油を外部空間に排出することもできる。
第４図の揚げ物器Ｃの特徴は、
・断面が楕円状の油収納用タンク５を外気に近い筐体背面側に設け、
・油槽域１に空冷管を設けていない、
ことである。
その他の基本的な構成は、第１図の揚げ物器Ａと同様であり、油収納用タンク５の開口部５ａを開閉するためのコックは設けられていないので、揚げ物器Ｅのコストダウンを図ることができるとともに、清掃作業の簡単化を図ることができる。
また、油収納用タンク５を外気に近い部分（揚げ物器Ｃの筐体側）に設けているので、油収納後のタンクは効率的に放熱して冷め易く、揚げ物槽Ｄを空にした後は短時間で洗浄作業に移行できる。
なお、油を油収納用タンク５に収納していない図示の状態で油抜きコック１４を開けば、油のみを排出させることができる。
第５図は、家庭用の揚げ物器Ｅであり、全体としてコンパクトな態様にするために、
・油の加熱源として電熱ヒータ３’を用い、
・油槽域１に空冷管を設けていない。
その他の構成については第１図の揚げ物器Ａと同様であり、油収納用タンク５の開口部５ａを開閉するためのコックは設けられていないので、揚げ物器Ｅのコストダウンを図ることができるとともに、清掃作業の簡単化を図ることができる。
なお、第５図では、電熱ヒータ３’を揚げ物槽Ｆの縦方向に往復するかたちで配置しているが、横方向に往復するかたちで配置してもよく、その配置方向は任意である。
第６図は、直方体状の油収納用タンク６を備えた揚げ物器Ｇである。油収納用タンク６は揚げ物槽Ｈの下方側にそれと並行するかたちで設けられ、その側面上側に形成された開口部６ａで揚げ物槽Ｈと連通している。当該開口部の上側端部６ｃは下側端部６ｂよりも油収納用タンク６の外側に位置し、また下側端部６ｂに被さるかたちとなっている。
揚げ物作業終了後に揚げ物槽Ｈを洗浄する際には、第１図の揚げ物器Ａの場合と同様に、
・コック６ｄを開いて油収納用タンク６内の水を排出させて揚げ物に使用していた油を油収納用タンク６に流入させ
・コック６ｄを閉じた後に、水抜きコック１１を開いて水槽域２の水を排出し、
・揚げ物槽Ｈの洗浄を行う。
油収納用タンク６の開口部６ａは上述のように側面上側に形成され、その上側端部６ｃは下側端部６ｂよりも油収納用タンク６の外側に位置し、また下側端部６ｂに被さるかたちとなっているので、洗浄作業時に用いる洗浄液等は油収納用タンク６内に入りにくい。
そして、洗浄作業終了後は水抜きコック１１を閉じた上で揚げ物器Ｇに注水すると、油収納用タンク６に水が混入してそこに収納されていた油は水との比重差により開口部６ａから油槽域１へと押し出され、次回の揚げ物作業の準備ができる。
なお、油収納タンク６に油を収納した状態でコック６ｄを開くと当該油を外部空間に排出することもできる。
揚げ物器Ａ，Ｃ，Ｅ，Ｇには注水口を図示しないが、油槽域１の任意の位置に任意の形状で設けることがきる。また、揚げ物器Ａ，Ｇには、空冷管４を設けなくてもよい。
【産業上の利用可能性】  以上のように、本発明にかかる揚げ物器は、清掃作業の安全化、効率化および低コスト化を図ったものであり、業務用および家庭用の揚げ物器として有用である。
【図１】
2004023955.tif 000003
【図２】
2004023955.tif 000004
【図３】
2004023955.tif 000005
【図４】
2004023955.tif 000006
【図５】
2004023955.tif 000007
【図６】
2004023955.tif 000008
【図７】
2004023955.tif 000009
【図８】
2004023955.tif 000010
【国際調査報告】
2004023955.tif 000011
2004023955.tif 000012